(57)【要約】【課題】  アスパラガスなどの収穫物を一定の長さに揃えて収穫する収穫用鋏であって、安全でコンパクトに収納することができ、かつ収穫物の長さを正確に安定して測定できる収穫用鋏を提供する。【解決手段】  収穫用鋏１は、互いに交差する一対の刃体４１，４１と、該一対の刃体４１，４１を軸支する軸部４２と、軸部４２よりも基方に設けられ刃体４１の開閉を操作する一対の把手５１，５１とを有する。収穫用鋏１は、収穫物９の長さを測定する測定棒３を、軸部４２に着脱自在で設けた。これにより、収穫用鋏１は、安全でコンパクトに収納することができ、かつ収穫物９の長さを正確に安定して測定できる。【選択図】  図１
2018108058.tif 000002
【特許請求の範囲】
【請求項１】
互いに交差する一対の刃体と、該一対の刃体を軸支する軸部と、該軸部よりも基方に設けられ前記刃体の開閉を操作する一対の把手とを有する収穫用鋏であって、
収穫物の長さを測定する測定棒を、前記軸部に着脱自在で設けたことを特徴とする収穫用鋏。
【請求項２】
互いに交差してこの交差位置よりも先方で収穫物を弾性的に挟持する一対のクランプを有し、
該一対のクランプは、軸部よりも先方で交差することを特徴とする請求項１記載の収穫用鋏。
【請求項３】
軸部は、刃体よりも突出した部位に、ねじ軸を有し、
測定棒は、前記ねじ軸に螺合するねじ部を有することを特徴とする請求項１又は２記載の収穫用鋏。
【発明の詳細な説明】
【技術分野】
【０００１】
本発明は、アスパラガスなどの収穫に好適な収穫用鋏に関する。
【背景技術】
【０００２】
従来から、特許文献１に示すように、相対応する一対の刃と、この刃の基端部に連設された把手とを有する鋏は、アスパラガスなどの収穫物を共同で挟持する第１，２挟持部材と、刃面と略直角方向に伸びる所定長さの測定棒とを有する。この鋏は、収穫物の上端部と測定棒の上端部とを対向させて位置あわせした状態で刃を閉じて切断することで、収穫物を均一な長さで収穫して、均一な長さに揃えた収穫物を容易に出荷することができる。
【０００３】
また、特許文献２に示すように、収穫用鋏は、挟持体または刃の少なくともいずれか一方に刃面と実質的に直交方向に伸びる測定棒が設けてある。この収穫用鋏は、測定棒の上端にアスパラガスなどの収穫物の上端を合わせた状態で収穫物を切断することで、収穫物を均一な長さで収穫して、均一な長さに揃えた収穫物を容易に出荷することができる。
【先行技術文献】
【特許文献】
【０００４】
【特許文献１】実公平２−１０９１６号公報
【特許文献２】実開平７−３０６３１号公報
【発明の概要】
【発明が解決しようとする課題】
【０００５】
特許文献１，２などに示す鋏では、測定棒が刃面に直交して長く突出するため、鋏の持ち運びや収納にあたり測定棒に合せて広いスペースが必要となり、鋏の持ち運びや収納を行いにくい。さらに、鋏は、突出した測定棒と周囲との接触などで、測定棒の変形や破損などを生じやすい。
【０００６】
また、特許文献１，２などに示す挟持部材や挟持体に測定棒を設けた鋏は、開閉動作に伴う測定棒の移動や挟持部材の弾性による測定棒の揺れなどにより安定した測定が行いにくく、収穫物の長さを揃えにくい。特に、両方可動刃の場合では、片方が固定刃でもう片方が可動刃である場合と違い、測定棒が揺れやすく、安定した測定が行いにくい。
【０００７】
したがって、安全でコンパクトに収納することができ、かつ収穫時にアスパラガスなどの収穫物を安定して測定できる収穫用鋏を提供することを目的とする。
【課題を解決するための手段】
【０００８】
本発明の収穫用鋏は、上記課題に鑑み、互いに交差する一対の刃体と、一対の刃体を軸支する軸部と、軸部よりも基方に設けられ刃体の開閉を操作する一対の把手とを有する収穫用鋏であって、収穫物の長さを測定する測定棒を、軸部に着脱自在で設けた、ことを特徴とするものである。
【０００９】
また、上述した構成に加え、互いに交差してこの交差位置よりも先方で収穫物を弾性的に挟持する一対のクランプを有し、一対のクランプは、軸部よりも先方で交差する、ことが好ましい。
【００１０】
また、上述した構成に加え、軸部は、刃体よりも突出した部位に、ねじ軸を有し、測定棒は、ねじ軸に螺合するねじ部を有する、ことが好ましい。
【発明の効果】
【００１１】
本発明は、測定棒を着脱自在としたことで、非使用時に測定棒を取り外してコンパクトに収納することができる。これにより、本発明は、持ち運びや梱包などを行いやすくできる。さらに、本発明は、測定棒を取り外すことで、周囲との接触による測定棒の変形や破損などを防止して、安全に持ち運びや梱包などを行うことができる。また、本発明は、測定棒を軸部に配置したことで、刃体の開閉動作に伴う測定棒の移動や測定棒の揺れなどを回避・軽減して、安定した測定を行うことができる。これにより、本発明は、容易にかつ正確に長さを揃えて収穫物を収穫することができる。
【００１２】
前記収穫用鋏において、収穫用鋏は、切断した収穫物をクランプにより保持することで、収穫作業を行いやすくできる。さらに、収穫用鋏は、クランプが測定棒より先方で交差するため、クランプの開閉動作が測定棒に干渉しにくくなる。これにより、収穫用鋏は、該開閉動作による測定棒の移動や揺れなどを回避・軽減して、安定した測定を行うことができる。
【００１３】
前記収穫用鋏において、収穫用鋏は、測定棒を軸部に対して螺合により着脱自在としたことで、測定棒を軸部に安定してかつ強固に装着でき、さらに装着棒を軸部から容易に離脱できる。
【図面の簡単な説明】
【００１４】
【図１】本発明の実施形態に係る収穫用鋏の一例を示す側面図である。
【図２】図１の収穫用鋏の鋏本体と測定棒とを分離した側面図である。
【図３】図２の鋏本体の平面図である。
【図４】図３の鋏本体を開いた状態の平面図である。
【発明を実施するための形態】
【００１５】
本発明の実施形態について図面に基づいて詳細に説明する。
【００１６】
収穫用鋏１は、図１に示すように、収穫物９（図４参照）を切断する鋏本体２と、収穫物９の長さを測定する測定棒３とを備える。収穫用鋏１は、図２に示すように、測定棒３が鋏本体２に着脱自在である。収穫物９は、例えば、野菜や草花などの植物であり、特にアスパラガスなどの茎野菜が好ましい。
【００１７】
鋏本体２は、図２，３に示すように、刃体部４と、グリップ５とを備える。グリップ５は、一対の把手５１，５１と、刃体部４及びグリップ５を閉じた状態に保持する留め具５２とを有する。留め具５２は一方の把手５１，５１に連結して設けてあり、他方の把手５１に係脱自在である。鋏本体２は、留め具５２を他方の把手５１に係止することで、グリップ５の開閉動作を規制して、グリップ５を閉じた状態に保持する。
【００１８】
刃体部４は、互いに交差する一対の刃体４１，４１と、一対の刃体４１，４１をその交差位置で軸支する軸部４２と、互いに交差する一対のクランプ４３，４３と、一対の刃体４１，４１を開く側に付勢するばね５３とを有する。以下、刃体４１の刃先側を先方（前方）、把手５１側を基方（後方）とする。
【００１９】
一対の刃体４１，４１は、図４に示すように、軸部４２を支点に回動することで、開閉する。なお、図４では、説明の便宜上、収穫物９及び収穫物９を挟持した状態のクランプ４３，４３を二点鎖線で示した。
【００２０】
一対の刃体４１，４１は、その軸支位置（交差位置）よりも先方に略平らな刃面を有する。このため、一対の刃体４１，４１は、先方に収穫物９を配置して閉じることで、収穫物９を切断する。各刃体４１，４１は、その後端に夫々一つの把手５１が設けてある。このため、一対の把手５１，５１は軸部４２を支点に回動し、一対の刃体４１，４１は一対の把手５１，５１の開閉動作（回動）に応じて開閉する。また、刃体部４は、留め具５２でグリップ５の開閉動作を規制することで、閉じた状態に保持される。
【００２１】
軸部４２は、その軸心が刃体４１の刃面に直交する。軸部４２は、図２に示すように、軸心方向において刃体４１よりも突出した部位に、ねじ軸４４（雄ねじ）を有する。ねじ軸４４は、その軸心方向が刃体４１の刃面に直交する。以下、軸心方向において、ねじ軸４４側を上方とし、反対側を下方とする。
【００２２】
一対のクランプ４３，４３は刃体４１よりも上方に配置される。一対のクランプ４３，４３は弾性を有する。一対のクランプ４３，４３は軸部４２よりも先方で交差する。一対のクランプ４３，４３は、図４に示すように、その交差位置よりも先方に収穫物９を配置して閉じることで、収穫物９を弾性的に挟持する。
【００２３】
測定棒３は、長尺な測定部３１と、鋏本体２に装着される被着部３２とを有する。測定棒３は、測定部３１の長手方向を軸部４２の軸心と平行にして、被着部３２を軸部４２に装着させることで、鋏本体２に着脱自在で取り付けられる。
【００２４】
被着部３２は、その上端部に測定部３１の下端部が固定される。被着部３２は、その下端部に測定部３１と同心のねじ穴（雌ねじ）を有する。ねじ穴はねじ軸４４に螺合する。つまり、被着部３２は、ねじ軸４４に螺合するねじ部である。被着部３２は、例えば、円柱部材で形成される。
【００２５】
測定部３１は、例えば、被着部３２よりも小径の円柱部材で形成される。測定部３１は被着部３２と同心で設けてあり、被着部３２から上方に突出する。このため、測定棒３を鋏本体２に装着した状態では、測定部３１は軸部４２と同心に配置される。
【００２６】
測定部３１は、その上端部が屈曲加工されており、収穫物９を切断する際に収穫物９を測定する目印となる。つまり、測定棒３は、収穫物９を測定する目印を有する。収穫用鋏１は、例えば、測定部３１の目印を収穫物９の上端に合せて収穫物９を鋏本体２で切断することで、収穫物９を一定の長さに揃えて切断することができる。なお、測定部３１は、長手方向の途中の所定の高さ位置に目印を有してもよい。
【００２７】
収穫用鋏１は、例えば、地表にあるアスパラガスを収穫する時などに、刃面を水平や略水平にして使用されるため、把手５１を後方側ほど刃面に対して上方に位置する姿勢に傾けて設けることで、把手５１を握る手の地面などとの接触を抑制している。
【００２８】
以上述べたように、収穫用鋏１は、測定棒３を着脱自在としたことで、非使用時に測定棒３を取り外して、コンパクトに収納することができる。これにより、収穫用鋏１は、持ち運びや梱包などを行いやすくできる。さらに、収穫用鋏１は、測定棒３を取り外すことで、周囲との接触による測定棒３の変形や破損などを防止して、安全に持ち運びや梱包などを行うことができる。
【００２９】
また、収穫用鋏１は、測定棒３を軸部４２に配置したことで、刃体部４の開閉動作に伴う測定棒３の移動や揺れなどを回避・軽減して、安定して測定することができる。これにより、収穫用鋏１は、容易にかつ正確に長さを揃えて収穫物９を収穫することができる。さらに、収穫用鋏１は、測定棒３を着脱自在としたことで、例えば寸法の異なる測定棒３を装着して、揃える長さを変更することができる。
【００３０】
収穫用鋏１は、切断した収穫物９をクランプ４３，４３により保持することで、収穫作業を行いやすくできる。さらに、収穫用鋏１は、クランプ４３，４３が測定棒３より先方で交差するため、クランプ４３，４３の開閉動作が測定棒３に干渉しにくくなる。これにより、収穫用鋏１は、該開閉動作に伴う測定棒３の移動や揺れを回避・軽減して、安定して測定することができる。
【００３１】
収穫用鋏１は、測定棒３を軸部４２に対して螺合により着脱自在としたことで、測定棒３を軸部４２に安定してかつ強固に装着でき、かつ測定棒３を軸部４２から容易に離脱できる。
【符号の説明】
【００３２】
１…収穫用鋏、２…鋏本体、３…測定棒、３１…測定部、３２…被着部、４…刃体部、４１…刃体、４２…軸部、４３…クランプ、４４…ねじ軸、５…グリップ、５１…把手、５２…留め具、５３…ばね
【図１】
2018108058.tif 000003
【図２】
2018108058.tif 000004
【図３】
2018108058.tif 000005
【図４】
2018108058.tif 000006